(57)【特許請求の範囲】
【請求項１】
受付手段と、認証手段と、印刷制御手段と、を備える画像形成装置であって、
前記受付手段は、印刷処理要求の１つの単位であるジョブデータの入力を、複数のジョブデータについて受け付け、
前記複数のジョブデータの各々は、１ページ以上の第１種ページデータまたは第２種ページデータを含んでおり、
前記第１種ページデータは、認証が成功しない場合においても前記印刷制御手段によって印刷をすることが可能なデータであり、
前記第２種ページデータは、認証が成功することを条件として前記印刷制御手段によって印刷をすることが可能なデータであり、
前記認証手段は、前記認証を行うための認証情報の入力を受け付け、前記受付手段で入力が受け付けられた複数のジョブデータの各々に含まれている前記第２種ページデータに対して前記認証情報に基づいて認証を行い、
前記印刷制御手段は、前記認証手段による認証が成功した全ての第２種ページデータを印刷し、
前記印刷制御手段は、第２種ページデータを印刷する際に、印刷を実行する第２種ページデータに関する情報を印刷することを特徴とする画像形成装置。
【請求項２】
受付手段と、認証手段と、印刷制御手段と、を備える画像形成装置であって、
前記受付手段は、印刷処理要求の１つの単位であるジョブデータの入力を、複数のジョブデータについて受け付け、
前記複数のジョブデータの各々は、１ページ以上の第１種ページデータまたは第２種ページデータを含んでおり、
前記第１種ページデータは、認証が成功しない場合においても前記印刷制御手段によって印刷をすることが可能なデータであり、
前記第２種ページデータは、認証が成功することを条件として前記印刷制御手段によって印刷をすることが可能なデータであり、
前記認証手段は、前記認証を行うための認証情報の入力を受け付け、前記受付手段で入力が受け付けられた複数のジョブデータの各々に含まれている前記第２種ページデータに対して前記認証情報に基づいて認証を行い、
前記認証手段は、複数のページデータを同一の印刷用紙に印刷する印刷設定が設定されている場合には、前記第２種ページデータと同一の印刷用紙に印刷される前記第１種ページデータに対して前記認証情報に基づいて認証を行い、
前記印刷制御手段は、前記認証手段による認証が成功した全ての第２種ページデータを印刷することを特徴とする画像形成装置。
【請求項３】
前記第２種ページデータに関する情報を前記ジョブデータごとに表示部に表示させ、前記第２種ページデータの選択を受け付ける第１表示制御手段をさらに備え、
前記認証手段は、前記第１表示制御手段で選択が受け付けられた第２種ページデータに対して認証を行うことを特徴とする請求項１または２に記載の画像形成装置。
【請求項４】
前記複数のジョブデータの各々には、各ジョブデータの属性を示す属性情報が含まれており、
前記画像形成装置は、前記属性情報に対応付けて前記第２種ページデータに関する情報を前記表示部に表示させ、前記属性情報の選択を受け付ける第２表示制御手段をさらに備え、
前記第１表示制御手段は、選択された属性情報に対応する前記第２種ページデータに関する情報を前記表示部に表示させることを特徴とする請求項３に記載の画像形成装置。
【請求項５】
前記印刷制御手段は、印刷設定に基づいて印刷を実行し、
前記印刷設定は、前記第１種ページデータと前記第２種ページデータとの間で設定内容を異ならせることが可能であることを特徴とする請求項１〜４の何れか１項に記載の画像形成装置。
【請求項６】
前記第２種ページデータには、認証を行うための認証実行情報が予め割り当てられており、
前記認証手段は、入力が受け付けられた認証情報と一致する認証実行情報が割り当てられている第２種ページデータに対して、認証が成功したと判断することを特徴とする請求項１〜５の何れか１項に記載の画像形成装置。
【請求項７】
前記受付手段は、
前記認証実行情報の入力と、入力を受け付けたジョブデータに含まれている１ページ以上のページデータのうちの何れのページを前記第２種ページデータに設定するかの設定指示の入力とをさらに受け付け、
前記設定指示が行われたページデータと前記認証実行情報とを対応付けて記憶部に記憶させることを特徴とする請求項６に記載の画像形成装置。
【請求項８】
情報処理装置と画像形成装置とを備える画像形成システムであって、
前記情報処理装置は、印刷処理要求の１つの単位であるジョブデータを生成して前記画像形成装置へ送信する送信手段を備え、
前記画像形成装置は、受付手段と、認証手段と、印刷制御手段と、を備え、
前記受付手段は、前記送信手段によるジョブデータの送信を、複数のジョブデータについて受け付け、
前記複数のジョブデータの各々は、１ページ以上の第１種ページデータまたは第２種ページデータを含んでおり、
前記第１種ページデータは、認証が成功しない場合においても前記印刷制御手段によって印刷をすることが可能なデータであり、
前記第２種ページデータは、認証が成功することを条件として前記印刷制御手段によって印刷をすることが可能なデータであり、
前記認証手段は、前記認証を行うための認証情報の入力を受け付け、前記受付手段で入力が受け付けられた複数のジョブデータの各々に含まれている前記第２種ページデータに対して前記認証情報に基づいて認証を行い、
前記印刷制御手段は、前記認証手段による認証が成功した全ての第２種ページデータを印刷し、
前記印刷制御手段は、第２種ページデータを印刷する際に、印刷を実行する第２種ページデータに関する情報を印刷することを特徴とする画像形成システム。
【請求項９】
受付ステップと、認証ステップと、印刷制御ステップと、を備える画像形成方法であって、
前記受付ステップは、印刷処理要求の１つの単位であるジョブデータの入力を、複数のジョブデータについて受け付け、
前記複数のジョブデータの各々は、１ページ以上の第１種ページデータまたは第２種ページデータを含んでおり、
前記第１種ページデータは、認証が成功しない場合においても前記印刷制御ステップによって印刷をすることが可能なデータであり、
前記第２種ページデータは、認証が成功することを条件として前記印刷制御ステップによって印刷をすることが可能なデータであり、
前記認証ステップは、前記認証を行うための認証情報の入力を受け付け、前記受付ステップで入力が受け付けられた複数のジョブデータの各々に含まれている前記第２種ページデータに対して前記認証情報に基づいて認証を行い、
前記印刷制御ステップは、前記認証ステップによる認証が成功した全ての第２種ページデータを印刷し、
前記印刷制御ステップは、第２種ページデータを印刷する際に、印刷を実行する第２種ページデータに関する情報を印刷することを特徴とする画像形成方法。
【発明の詳細な説明】
【技術分野】
【０００１】
本明細書に開示されている技術は、複数の印刷ジョブを処理する機能を有する画像形成装置、画像形成システムおよび画像形成方法に関する。
【背景技術】
【０００２】
特許文献１には、セキュアドプリント処理が可能な印刷システムが開示されている。この印刷システムでは、ホストコンピュータで生成した１つの印刷ジョブ内で、ページ単位でセキュアドプリントの指定が行なわれる。印刷装置は、ページ単位にセキュアドプリントが指定された１つの印刷ジョブについて、ユーザの認証操作なしに、セキュアドプリントが指定されていないページの出力を行う。またユーザによる認証操作後においては、セキュアドプリントが指定されたページの出力を行う。
【先行技術文献】
【特許文献】
【０００３】
【特許文献１】特開２００２−１８７３１７号公報
【発明の概要】
【発明が解決しようとする課題】
【０００４】
特許文献１の技術では、セキュアドプリントが指定された印刷ジョブが複数存在する場合に、これら複数の印刷ジョブを処理する態様については開示されていない。すると例えば、複数のジョブデータごとに認証を行う場合には、認証操作を複数回実行する必要があるため、ユーザにとって不便である。本明細書では、このような不便性を解消することができる技術を提供する。
【課題を解決するための手段】
【０００５】
本明細書に記載されている画像形成装置は、受付手段と、認証手段と、印刷制御手段と、を備える画像形成装置であって、受付手段は、印刷処理要求の１つの単位であるジョブデータの入力を、複数のジョブデータについて受け付け、複数のジョブデータの各々は、１ページ以上の第１種ページデータまたは第２種ページデータを含んでおり、第１種ページデータは、認証が成功しない場合においても印刷制御手段によって印刷をすることが可能なデータであり、第２種ページデータは、認証が成功することを条件として印刷制御手段によって印刷をすることが可能なデータであり、認証手段は、認証を行うための認証情報の入力を受け付け、受付手段で入力が受け付けられた複数のジョブデータの各々に含まれている第２種ページデータに対して認証情報に基づいて認証を行い、印刷制御手段は、認証手段による認証が成功した全ての第２種ページデータを印刷することを特徴とする。
【０００６】
このように構成された画像形成装置では、第２種ページデータを含むジョブデータが複数入力された場合においても、複数のジョブデータの各々から第２種ページデータを抽出することができる。そして、認証情報の入力を受け付けることで、入力された認証情報によって認証が成功した全ての第２種ページデータを印刷することができる。これにより、複数のジョブデータに対して効率よく認証を行うことが可能となるため、印刷実行に必要な時間を短縮化することが可能となる。
【０００７】
また、請求項３に記載の画像形成装置では、第２種ページデータを含むジョブデータが複数入力された場合においても、ユーザは、認証を行う対象の第２種ページデータを選択することができる。これにより、印刷実行を意図している第２種ページデータのみを、確実に印刷することが可能となる。よって、意図しない印刷物が混合してしまう事態を防止することができる。
【０００８】
また、請求項４に記載の画像形成装置では、選択された属性情報に対応する第２種ページデータに関する情報を表示部に表示させることができる。属性情報の一例としては、ユーザを識別する情報（例：ユーザＩＤ）が挙げられる。これにより、属性情報ごとに認証を行うことが可能となるため、互いに異なる属性を有するジョブデータに含まれる第２種ページデータが一緒に印刷されてしまう事態を防止することができる。また、属性は異なるが認証情報が同一である複数のジョブデータが存在する場合においても、属性情報によってこれらのジョブデータを区別することが可能となるため、これらのジョブデータに含まれる第２種ページデータが一緒に印刷されてしまう事態を防止することができる。
【０００９】
また、請求項５に記載の画像形成装置では、第１種ページデータと第２種ページデータとの間で、印刷設定の設定内容を異ならせることができる。印刷設定の一例としては、印刷用紙のサイズや種類、カラー印刷の有無、両面印刷の有無などが挙げられる。これにより、第１種ページデータと第２種ページデータとで、印刷の態様を異ならせることが可能となる。
【００１０】
また、本明細書に記載の画像形成装置では、印刷を実行する第２種ページデータに関する情報を印刷することができる。当該情報の一例としては、第２種ページデータのページ数や、ジョブ名が挙げられる。また当該情報は、第２種ページデータを印刷する印刷用紙とは別途の印刷用紙に印刷してもよい。これにより、複数のジョブデータに含まれる第２種ページデータが互いに混在して印刷される場合においても、第２種ページデータの印刷結果が何れのジョブデータに含まれるデータであるかを、第２種ページデータに関する情報に基づいて識別することが可能となる。
【００１１】
また、本明細書に記載の画像形成装置では、第２種ページデータと同一の印刷用紙に印刷される第１種ページデータを、第２種ページデータとして抽出して記憶部に記憶させることができる。これにより、第２種ページデータの機密性を保持しながら、第２種ページデータと第１種ページデータとを同一の印刷用紙に印刷することが可能となるため、印刷に必要な印刷用紙の枚数を削減することができる。
【００１２】
また、請求項６に記載の画像形成装置では、第２種ページデータの認証を行うことが可能となる。
【００１３】
また、請求項７に記載の画像形成装置では、ジョブデータに含まれている複数のページデータのうちから指定したページデータを、認証を行う対象とすることができる。
【００１４】
なお、上記の画像処理を実現するための画像形成システムも、新規で有用である。
以下に、本明細書に記載の技術の特徴を列挙する。
［特徴１］
受付手段と、認証手段と、印刷制御手段と、を備える画像形成装置であって、前記受付手段は、印刷処理要求の１つの単位であるジョブデータの入力を、複数のジョブデータについて受け付け、前記複数のジョブデータの各々は、１ページ以上の第１種ページデータまたは第２種ページデータを含んでおり、前記第１種ページデータは、認証が成功しない場合においても前記印刷制御手段によって印刷をすることが可能なデータであり、前記第２種ページデータは、認証が成功することを条件として前記印刷制御手段によって印刷をすることが可能なデータであり、前記認証手段は、前記認証を行うための認証情報の入力を受け付け、前記受付手段で入力が受け付けられた複数のジョブデータの各々に含まれている前記第２種ページデータに対して前記認証情報に基づいて認証を行い、前記印刷制御手段は、前記認証手段による認証が成功した全ての第２種ページデータを印刷することを特徴とする画像形成装置。
［特徴２］
前記第２種ページデータに関する情報を前記ジョブデータごとに表示部に表示させ、前記第２種ページデータの選択を受け付ける第１表示制御手段をさらに備え、前記認証手段は、前記第１表示制御手段で選択が受け付けられた第２種ページデータに対して認証を行うことを特徴とする特徴１に記載の画像形成装置。
［特徴３］
前記複数のジョブデータの各々には、各ジョブデータの属性を示す属性情報が含まれており、前記画像形成装置は、前記属性情報に対応付けて前記第２種ページデータに関する情報を前記表示部に表示させ、前記属性情報の選択を受け付ける第２表示制御手段をさらに備え、前記第１表示制御手段は、選択された属性情報に対応する前記第２種ページデータに関する情報を前記表示部に表示させることを特徴とする特徴２に記載の画像形成装置。
［特徴４］
前記印刷制御手段は、印刷設定に基づいて印刷を実行し、前記印刷設定は、前記第１種ページデータと前記第２種ページデータとの間で設定内容を異ならせることが可能であることを特徴とする特徴１〜３の何れか１項に記載の画像形成装置。
［特徴５］
前記印刷制御手段は、第２種ページデータを印刷する際に、印刷を実行する第２種ページデータに関する情報を印刷することを特徴とする特徴１〜４の何れか１項に記載の画像形成装置。
［特徴６］
前記認証手段は、複数のページデータを同一の印刷用紙に印刷する印刷設定が設定されている場合には、前記第２種ページデータと同一の印刷用紙に印刷される前記第１種ページデータに対して前記認証情報に基づいて認証を行うことを特徴とする特徴１〜５の何れか１項に記載の画像形成装置。
［特徴７］
前記第２種ページデータには、認証を行うための認証実行情報が予め割り当てられており、前記認証手段は、入力が受け付けられた認証情報と一致する認証実行情報が割り当てられている第２種ページデータに対して、認証が成功したと判断することを特徴とする特徴１〜６の何れか１項に記載の画像形成装置。
［特徴８］
前記受付手段は、前記認証実行情報の入力と、入力を受け付けたジョブデータに含まれている１ページ以上のページデータのうちの何れのページを前記第２種ページデータに設定するかの設定指示の入力とをさらに受け付け、前記設定指示が行われたページデータと前記認証実行情報とを対応付けて記憶部に記憶させることを特徴とする特徴７に記載の画像形成装置。
［特徴９］
情報処理装置と画像形成装置とを備える画像形成システムであって、前記情報処理装置は、印刷処理要求の１つの単位であるジョブデータを生成して前記画像形成装置へ送信する送信手段を備え、前記画像形成装置は、受付手段と、認証手段と、印刷制御手段と、を備え、前記受付手段は、前記送信手段によるジョブデータの送信を、複数のジョブデータについて受け付け、前記複数のジョブデータの各々は、１ページ以上の第１種ページデータまたは第２種ページデータを含んでおり、前記第１種ページデータは、認証が成功しない場合においても前記印刷制御手段によって印刷をすることが可能なデータであり、前記第２種ページデータは、認証が成功することを条件として前記印刷制御手段によって印刷をすることが可能なデータであり、前記認証手段は、前記認証を行うための認証情報の入力を受け付け、前記受付手段で入力が受け付けられた複数のジョブデータの各々に含まれている前記第２種ページデータに対して前記認証情報に基づいて認証を行い、前記印刷制御手段は、前記認証手段による認証が成功した全ての第２種ページデータを印刷することを特徴とする画像形成システム。
［特徴１０］
受付ステップと、認証ステップと、印刷制御ステップと、を備える画像形成方法であって、前記受付ステップは、印刷処理要求の１つの単位であるジョブデータの入力を、複数のジョブデータについて受け付け、前記複数のジョブデータの各々は、１ページ以上の第１種ページデータまたは第２種ページデータを含んでおり、前記第１種ページデータは、認証が成功しない場合においても前記印刷制御ステップによって印刷をすることが可能なデータであり、前記第２種ページデータは、認証が成功することを条件として前記印刷制御ステップによって印刷をすることが可能なデータであり、前記認証ステップは、前記認証を行うための認証情報の入力を受け付け、前記受付手段で入力が受け付けられた複数のジョブデータの各々に含まれている前記第２種ページデータに対して前記認証情報に基づいて認証を行い、前記印刷制御ステップは、前記認証手段による認証が成功した全ての第２種ページデータを印刷することを特徴とする画像形成方法。
【図面の簡単な説明】
【００１５】
【図１】本実施形態の印刷システムの概略図である。
【図２】ＰＣで実行する本実施形態のメイン処理のフローチャートを示す図である。
【図３】ＭＦＰで実行する本実施形態のメイン処理のフローチャートを示す図である。
【図４】ＭＦＰで実行するＳ２１８のセキュア印刷処理のうちの第１部分を説明するフローチャートを示す図である。
【図５】ＭＦＰで実行するＳ２１８のセキュア印刷処理のうちの第１部分に続く第２部分を説明するフローチャートを示す図である。
【図６】セキュア印刷ジョブリストのテーブルの一例を示す図である。
【図７】セキュア印刷ページリストのテーブルの一例を示す図である。
【図８】ジョブデータの一例を示す図である。
【図９】セキュア印刷ユーザリストの表示例を示す図である。
【図１０】セキュア印刷ジョブリストの表示例を示す図である。
【図１１】印刷設定画面の一例を示す図である。
【発明を実施するための形態】
【００１６】
図１に、本実施例の印刷システム２の概略図を示す。印刷システム２は、画像形成装置（ＭＦＰ（Multifunction Peripheralの略））１０と、ＰＣ７０ａ〜７０ｃとを備える。ＭＦＰ１０およびＰＣ７０ａ〜７０ｃは、ＬＡＮ回線４を介して互いに通信可能に接続されている。
【００１７】
＜ＭＦＰ１０の構成＞
ＭＦＰ１０は、制御部１２、タッチパネル５０、キーパッド５２、印刷部５４、ＦＡＸ部５８、ネットワークインターフェイス６０、ＰＳＴＮインターフェイス６２、スキャナ部６４等を有する。キーパッド５２は、電源ボタンなど、各種のボタンを備えている。タッチパネル５０はタッチパネル式であり、表示されたボタンをタッチすることで選択することができる。ネットワークインターフェイス６０は、ＬＡＮ回線４に接続されている。制御部１２は、ＣＰＵ１４、ＲＯＭ１６、ＲＡＭ３０、ＮＶＲＡＭ（Non Volatile RAMの略）４０、等を備えている。
【００１８】
ＣＰＵ１４は、ＲＯＭ１６に記憶されている各種のプログラムに従って様々な処理を実行する。基本機能プログラム１８は、ＭＦＰ１０の基本的な動作を制御するためのプログラムである。基本機能プログラム１８は、例えば、印刷部５４、タッチパネル５０等を制御するための各種制御プログラムを含んでいる。ＲＡＭ３０は、基本機能ワーク領域３２を備える。基本機能ワーク領域３２は、基本機能プログラム１８に従って処理が実行される過程で生成される各種データを記憶するための記憶領域である。
【００１９】
ＮＶＲＡＭ４０は、セキュア印刷ジョブリスト４１のテーブル、セキュア印刷ページリスト４２のテーブル、を記憶している。図６に、セキュア印刷ジョブリスト４１のテーブルの一例を示す。セキュア印刷ジョブリスト４１は、ジョブＩＤ１０１、ユーザ名１０２、ジョブ名１０４、認証パスワード１０５、総ページ数１０６、を記憶している。
【００２０】
ジョブＩＤ１０１は、各ジョブデータを識別するためのシリアル番号である。ジョブデータは、印刷処理要求の１つの単位である。ジョブデータは、例えば、ユーザが印刷対象のデータを選択して印刷実行ボタンをクリックすることに応じて生成されるとしてもよい。複数のジョブデータの各々は、１ページ以上の通常ページデータまたはセキュアページデータを含んでいる。通常ページデータおよびセキュアページデータは、書類の１ページ分の画像を形成することができるデータである。通常ページデータは、認証が成功しない場合においても印刷部５４によって印刷をすることが可能なデータである。セキュアページデータは、認証が成功することを条件として印刷部５４によって印刷をすることが可能なデータである。１のジョブデータは、通常ページデータとセキュアページデータの両方を含んでいてもよい。１のジョブデータが複数のページデータを含んでいる場合には、１のジョブデータによって複数のページを印刷することができる。
【００２１】
ユーザ名１０２は、ジョブデータを生成したユーザを識別するための情報である。ユーザ名１０２は、ジョブデータが何れのユーザに属すかの属性を示している。ジョブ名１０４は、各ジョブデータを識別するための情報である。認証パスワード１０５は、後述する、セキュアページデータの認証を行うための情報である。総ページ数１０６は、各ジョブデータに含まれているページデータの総ページ数を示す情報である。
【００２２】
図７に、セキュア印刷ページリスト４２のテーブルの一例を示す。セキュア印刷ページリスト４２は、セキュアページデータに関する情報を記憶するリストである。図７に示すセキュア印刷ページリスト４２は、ジョブＩＤ１１０、ユーザ名１１１、セキュアページ番号１１２、セキュアページデータアドレス１１３、を記憶している。ジョブＩＤ１１０は、セキュアページデータを含んでいるジョブデータを識別するための番号である。ユーザ名１１１は、セキュアページデータに対応付けられているユーザを識別するための情報である。セキュアページ番号１１２は、ジョブデータに含まれている複数のページデータのうち、何ページ目のページデータがセキュアページデータであるかを示す情報である。セキュアページデータアドレス１１３は、セキュアページデータにアクセスするための情報である。
【００２３】
＜ＰＣ７０ａの構成＞
ＰＣ７０ａは、ＣＰＵ７２、記憶部７４、表示部８２、操作部８４、ネットワークインターフェイス８６、ＲＡＭ９０等を有する。記憶部７４は、ハードディスク、ＮＶＲＡＭ、ＲＯＭなどを備えていてもよい。表示部８２は、様々な情報を表示することができる。操作部８４は、キーボードやマウスによって構成される。ユーザは、操作部８４を操作することによって、様々な指示や情報をＰＣ７０ａに入力することができる。ネットワークインターフェイス８６は、ＬＡＮ回線４を介してＭＦＰ１０との間で各種の情報を通信することができる。
【００２４】
記憶部７４は、基本プログラム７６、印刷プログラム７７、印刷設定記憶領域７８、を記憶している。基本プログラム７６は、ＰＣ７０ａの基本的な動作を制御するためのプログラムである。印刷プログラム７７は、ＰＣ７０ａを、ＭＦＰ１０に各種の画像データを印刷させるための印刷ツールとして機能させるためのプログラムである。
【００２５】
印刷設定記憶領域７８は、ＭＦＰ１０に印刷を実行させる際の各種の印刷設定を記憶する領域である。図１１に、印刷プログラム７７によって表示部８２に表示される印刷設定画面４００の一例を示す。印刷設定画面４００は、印刷設定の設定入力を受け付けるための画面である。印刷設定画面４００には、チェックボックス４１１、４１３、４１７、４１８と、入力ボックス４１２、４１４と、ＯＫボタン４１５と、Ｃａｎｃｅｌボタン４１６が表示されている。チェックボックス４１１は、セキュア印刷の実行有無を設定するためのボックスである。入力ボックス４１２は、認証パスワードの入力を受け付けるためのボックスである。チェックボックス４１３は、セキュアページの設定有無を設定するためのボックスである。入力ボックス４１４は、入力を受け付けたジョブデータに含まれている１ページ以上のページデータのうち、何れのページをセキュアページデータに設定するかの指示入力を受け付けるためのボックスである。チェックボックス４１７は、２ｉｎ１印刷の実行有無を設定するためのボックスである。チェックボックス４１８は、両面印刷の実行有無を設定するためのボックスである。２ｉｎ１印刷や両面印刷は、ジョブデータに含まれている全てのページデータに対して設定されてもよいし、ジョブデータに含まれているセキュアページデータのみに設定されてもよい。ＯＫボタン４１５は、各種の設定内容の変更を確定するためのボタンである。Ｃａｎｃｅｌボタン４１６は、各種の設定内容の変更をキャンセルするためのボタンである。チェックボックス４１１がチェックされると、入力ボックス４１２およびチェックボックス４１３が有効になり、入力を受け付けることが可能とされる。チェックボックス４１３がチェックされると、入力ボックス４１４が有効になり、セキュア印刷対象となるページ番号の入力を受け付けることが可能となる。また、ＰＣ７０ｂおよびＰＣ７０ｃの構成はＰＣ７０ａと同様であるため、詳細な説明は省略する。
【００２６】
＜ＰＣ７０ａの動作＞
ＰＣ７０ａで行われる、ユーザのログイン処理からジョブデータをＭＦＰ１０に送信するまでの処理動作を、図２のフローを用いて説明する。図２のフローは、ＰＣ７０ａの電源が投入されている間において実施されるフローである。Ｓ１０１においてＣＰＵ７２は、ユーザログイン処理が行われたか否かを判断する。ユーザログイン処理は、例えば、ユーザ選択操作またはログインパスワードの入力が受け付けられることに応じて行われてもよい。ユーザログイン処理が行われていない場合（Ｓ１０１：ＮＯ）にはＳ１０１へ戻り、行われた場合（Ｓ１０１：ＹＥＳ）にはＳ１０２へ進む。本実施形態では、例として、ユーザＡがログインした場合を以下に説明する。
【００２７】
Ｓ１０２においてＣＰＵ７２は、印刷設定の設定指示が入力されたか否かを判断する。設定指示は、例えば、ＰＣ７０ａの操作部８４によって受け付けられるとしてもよい。  設定指示が入力された場合（Ｓ１０２：ＹＥＳ）にはＳ１０３へ進む。Ｓ１０３においてＣＰＵ７２は、印刷設定画面４００を表示部８２に表示し、印刷設定の入力を受け付ける。
【００２８】
本実施形態では、例として、図１１に示すように、入力ボックス４１２に「ｘｘｘｘ」の文字列が入力されている場合を説明する。また入力ボックス４１４に、「３、６」が入力されている場合を説明する。この場合、認証パスワード＝「ｘｘｘｘ」、ジョブデータに含まれるページのうち３ページ目および６ページ目をセキュア印刷する、という内容の印刷設定が入力されることになる。また本実施形態では、例として、６ページ分のページデータを備えるジョブデータを印刷する場合を説明する。
【００２９】
Ｓ１０４においてＣＰＵ７２は、Ｓ１０３で入力された印刷設定の内容を保存するか否かを判断する。この判断は、例えば、印刷設定画面４００のＯＫボタン４１５がクリックされたか否かによって行われてもよい。印刷設定を保存する場合（Ｓ１０４：ＹＥＳ）にはＳ１０５へ進み、ＣＰＵ７２は、印刷設定を印刷設定記憶領域７８に記憶させる。そしてＳ１０２へ戻る。
【００３０】
一方、Ｓ１０４において、印刷設定の内容を保存しない場合（Ｓ１０４：ＮＯ）にはＳ１０６へ進み、ＣＰＵ７２は、印刷設定の入力処理を終了するか否かを判断する。当該判断は、例えば、Ｃａｎｃｅｌボタン４１６がクリックされたか否かによって行われてもよい。入力処理を終了する場合（Ｓ１０６：ＹＥＳ）には、印刷設定を記憶させることなくＳ１０２へ戻る。一方、終了しない場合（Ｓ１０６：ＮＯ）にはＳ１０３へ戻る。
【００３１】
一方、Ｓ１０２において印刷設定の設定指示が入力されていない場合（Ｓ１０２：ＮＯ）には、Ｓ１０７へ進む。Ｓ１０７においてＣＰＵ７２は、印刷指示が入力されたか否かを判断する。印刷指示は、印刷対象の画像データを選択した上で、不図示の印刷ボタンをクリックすることで入力されるとしてもよい。印刷指示が入力されていない場合（Ｓ１０７：ＮＯ）にはＳ１０２へ戻り、入力された場合（Ｓ１０７：ＹＥＳ）にはＳ１０８へ進む。
【００３２】
Ｓ１０８〜Ｓ１１０において、ジョブデータが作成される。ジョブデータは、印刷設定記憶領域７８に記憶されている印刷設定と、Ｓ１０７で印刷対象に選択された画像データに基づいて作成される。図８に、ジョブデータの一例を示す。Ｓ１０８においてＣＰＵ７２は、印刷設定記憶領域７８に記憶されている印刷設定に基づいて、ジョブヘッダ（図８、領域Ｒ１）を作成する。ジョブヘッダに含まれている「@PrintJobInfo」の文字列は、ジョブデータの開始であることを示している。「SecurePrint="Yes"」の文字列は、当該ジョブデータがセキュアページデータを含んでいることを示している。印刷設定画面４００（図１１）のチェックボックス４１１がチェックされている場合に、ジョブヘッダに「SecurePrint="Yes"」の文字列が含まれることになる。「Password="xxxx"」の文字列は、ジョブデータに対応付けられる認証パスワードを示している。「Password="xxxx"」の文字列は、印刷設定画面４００（図１１）の入力ボックス４１２に入力された文字列である。「UserName="userA"」の文字列は、ジョブデータを生成したユーザ（ユーザＡ）を示している。「JobName="セキュリティ印刷１.doc"」の文字列は、ジョブデータのジョブ名を示している。「2in1Print="Yes"」の文字列は、当該ジョブデータが２ｉｎ１印刷の対象であることを示している。２ｉｎ１印刷は、２ページ分のデータを１枚の印刷用紙の一方の面にまとめて印刷する態様である。印刷設定画面４００（図１１）のチェックボックス４１７がチェックされている場合には「2in1Print="Yes"」の文字列がジョブヘッダに含まれ、チェックボックス４１７がチェックされていない場合には「2in1Print="No"」の文字列がジョブヘッダに含まれることになる。「DuplexPrinting="No"」の文字列は、当該ジョブデータが両面印刷の対象ではないことを示している。印刷設定画面４００（図１１）のチェックボックス４１８がチェックされていない場合に、「DuplexPrinting="No"」の文字列がジョブヘッダに含まれることになる。一方、チェックボックス４１８がチェックされている場合には、「DuplexPrinting="Yes"」の文字列がジョブヘッダに含まれ、当該ジョブデータが両面印刷の対象となる。
【００３３】
Ｓ１０９においてＣＰＵ７２は、印刷設定記憶領域７８に記憶されている印刷設定に基づいて、ページヘッダ（図８、領域Ｒ２）を作成する。ページヘッダに含まれている「@PageInfo」の文字列は、１ページ分のページデータの開始であることを示している。「SecurePage="Yes"」の文字列は、当該ページデータがセキュアページデータであることを示している。また「SecurePage="No"」の文字列は、当該ページデータが通常ページデータであることを示している。本実施形態の説明例では、Ｓ１０７において、６ページ分のデータを備えた画像データを印刷対象として選択した場合を説明している。よって、ページヘッダには６個の「@PageInfo」の文字列が含まれている。また、３ページ目および６ページ目の画像データをセキュア印刷する場合を説明しているため、３番目および６番目の文字列が「SecurePage="Yes"」となっている。
【００３４】
Ｓ１１０においてＣＰＵ７２は、ページデータ（図８、領域Ｒ３）を作成する。「PrintPageData=」の文字列は、ページデータの中身を表している。ページデータの中身は、Ｓ１０７において印刷対象として選択された画像データに基づいて作成される。「@JobEnd」の文字列（図８、領域Ｒ４）は、ジョブデータの最後を示している。Ｓ１１１においてＣＰＵ７２は、生成したジョブデータを、ＬＡＮ回線４を介してＭＦＰ１０へ送信する。
【００３５】
＜ＭＦＰ１０の動作＞
ＭＦＰ１０のジョブデータ受信時の動作を、図３〜図５のフローチャートを用いて説明する。図３〜図５のフローは、ＭＦＰ１０の電源が投入されている間において実施されるフローである。Ｓ２０２においてＣＰＵ１４は、ジョブデータを受信したか否かを判断する。受信していない場合（Ｓ２０２：ＮＯ）にはＳ２０２へ戻り、受信した場合（Ｓ２０２：ＹＥＳ）にはＳ２０３へ進む。
【００３６】
Ｓ２０３においてＣＰＵ１４は、受信したジョブデータが、セキュア印刷用のジョブデータであるか否かを判断する。当該判断は、ジョブヘッダに「SecurePrint="Yes"」の文字列が含まれているか否かによって行われる。セキュア印刷用のジョブデータではない場合（Ｓ２０３：ＮＯ）にはＳ２０４へ進み、ＣＰＵ１４は、ジョブデータを用いて印刷部５４に印刷を実行させる。そしてＳ２０２へ戻る。一方、セキュア印刷用のジョブデータである場合（Ｓ２０３：ＹＥＳ）には、Ｓ２０５へ進む。
【００３７】
Ｓ２０５においてＣＰＵ１４は、セキュア印刷ジョブリスト４１に各種の情報を登録する。本実施形態の説明例では、セキュア印刷ジョブリスト４１のジョブＩＤ１０１＝「１」の列（図６、領域Ｒ２１）に示すように、ユーザ名１０２＝「userA」、ジョブ名１０４＝「セキュリティ印刷１．ｄｏｃ」、認証パスワード１０５＝「ｘｘｘｘ」、総ページ数１０６＝「６」、の情報が登録される。
【００３８】
Ｓ２０６においてＣＰＵ１４は、セキュア印刷用のジョブデータにセキュアページデータが含まれているか否かを判断する。含まれていない場合（Ｓ２０６：ＮＯ）にはＳ２２０へ進み、セキュア印刷用のジョブデータに基づいて印刷部５４に印刷を実行させる。そしてフローを終了する。一方、セキュアページデータが含まれている場合（Ｓ２０６：ＹＥＳ）には、Ｓ２０７へ進む。Ｓ２０７においてＣＰＵ１４は、セキュア印刷用のジョブデータからセキュアページデータを抽出し、抽出したセキュアページデータをセキュア印刷ページリスト４２に登録する。
【００３９】
本実施形態の説明例では、図７の領域Ｒ１１に示すように、ジョブＩＤ１１０＝「１」、セキュアページ番号１１２＝「３」および「６」、３ページ目および６ページ目のページデータにアクセスするためのセキュアページデータアドレス１１３が、セキュア印刷ページリスト４２に登録される。
【００４０】
Ｓ２１１においてＣＰＵ１４は、２ｉｎ１印刷または両面印刷を実行するように印刷の設定が行われているか否かを判断する。当該判断は、ジョブヘッダに基づいて行われる。設定されていない場合（Ｓ２１１：ＮＯ）にはＳ２１４へ進み、設定されている場合（Ｓ２１１：ＹＥＳ）にはＳ２１２へ進む。Ｓ２１２においてＣＰＵ１４は、セキュアページデータと同一の印刷用紙に印刷される通常ページデータを、セキュア印刷ページリスト４２に登録する。これにより、セキュアページデータと同一の印刷用紙に印刷される通常ページデータを、セキュアページデータとして扱うことが可能となる。そしてＳ２１４へ進む。
【００４１】
本実施形態の説明例では、ジョブヘッダに「2in1Print="Yes"」の文字列が含まれており、２ｉｎ１印刷を実行する場合を説明している。よって、図７の領域Ｒ１２に示すように、セキュアページ番号１１２＝「３」のセキュアページデータと同一の印刷用紙に印刷される４ページ目の通常ページデータが、セキュアページ番号１１２＝「４」のセキュアページデータとして、セキュア印刷ページリスト４２に登録される。また同様に、セキュアページ番号１１２＝「６」のセキュアページデータと同一の印刷用紙に印刷される５ページ目の通常ページデータが、セキュアページ番号１１２＝「５」のセキュアページデータとして、セキュア印刷ページリスト４２に登録される。
【００４２】
Ｓ２１４においてＣＰＵ１４は、通常ページデータがジョブデータに含まれているか否かを判断する。当該判断は、ページヘッダに「SecurePage="No"」の文字列が含まれているか否かによって行われる。通常ページデータが含まれていない場合（Ｓ２１４：ＮＯ）には、ジョブデータの全ページがセキュア印刷の対象であると判断され、Ｓ２１８へ進む。一方、通常ページデータが含まれている場合（Ｓ２１４：ＹＥＳ）にはＳ２１６へ進み、ＣＰＵ１４は、通常ページデータを印刷部５４に印刷させる。そしてＳ２１８へ進む。
【００４３】
Ｓ２１８で行われるセキュア印刷処理の内容を、図４および図５のフローチャートを用いて説明する。Ｓ３０１においてＣＰＵ１４は、セキュア印刷ユーザリスト２００をタッチパネル５０に表示させる。セキュア印刷ユーザリスト２００は、ユーザ名に対応付けてセキュアページデータを表示するリストである。セキュア印刷ユーザリスト２００は、セキュア印刷ページリスト４２に基づいて表示される。
【００４４】
図９に、セキュア印刷ユーザリスト２００の表示例を示す。図９は、図７に示すセキュア印刷ページリスト４２に基づいた表示例である。セキュア印刷ユーザリスト２００には、ユーザ名２０１、セキュアジョブ数２０２、セキュアページ数２０３、ログインパスワードの入力ボックス２０４、ＯＫボタン２０５、Ｃａｎｃｅｌボタン２０６、が表示されている。ユーザ名２０１は、セキュア印刷の実行命令を入力したユーザの名称である。セキュアジョブ数２０２は、ユーザごとに、セキュア印刷用のジョブデータをいくつ記憶させているかを示す情報である。セキュアページ数２０３は、記憶されているセキュアページデータの総ページ数を示す情報である。ログインパスワードの入力ボックス２０４は、ログインパスワードの入力を受け付けるための入力ボックスである。ログインパスワードは、ＭＦＰ１０を使用することが許可されているユーザであるか否かを確認するための情報である。
【００４５】
Ｓ３０２においてＣＰＵ１４は、ユーザ選択操作およびログインパスワードの入力を受け付ける。具体的には、セキュア印刷ユーザリスト２００のユーザ名２０１に表示されている複数のユーザから１のユーザを選択する操作と、選択したユーザに関するログインパスワードを入力ボックス２０４に入力する操作を受け付ける。
【００４６】
Ｓ３０３においてＣＰＵ１４は、ＯＫボタン２０５がタッチされたか否かを判断する。タッチされていない場合（Ｓ３０３：ＮＯ）にはＳ３０４へ進み、Ｃａｎｃｅｌボタン２０６がタッチされたか否かを判断する。Ｃａｎｃｅｌボタン２０６がタッチされた場合（Ｓ３０４：ＹＥＳ）にはフローを終了し、タッチされない場合（Ｓ３０４：ＮＯ）にはＳ３０１へ戻る。
【００４７】
一方、Ｓ３０３において、ＯＫボタン２０５がタッチされた場合（Ｓ３０３：ＹＥＳ）には、Ｓ３０６へ進む。Ｓ３０６においてＣＰＵ１４は、入力されたログインパスワードが、予め記憶されているユーザパスワードと一致するか否かを判断する。一致しない場合（Ｓ３０６：ＮＯ）にはログインに失敗したと判断されてＳ３０１へ戻り、一致する場合（Ｓ３０６：ＹＥＳ）にはログインが成功したと判断されてＳ３０７へ進む。
【００４８】
Ｓ３０７においてＣＰＵ１４は、セキュアページと通常ページとの間で印刷設定を異ならせる指示が入力されたか否かを判断する。当該指示は、例えば、ＭＦＰ１０のキーパッド５２によって受け付けられるとしてもよい。当該指示の例としては、セキュアページデータを印刷する場合には秘密であることを示すヘッダ文字列を印刷し、通常ページデータを印刷する場合には秘密であることを示すヘッダ文字列を印刷しない指示が挙げられる。また当該指示の例としては、セキュアページデータを第１トレイの印刷用紙に印刷し、通常ページデータを第２トレイの印刷用紙に印刷する指示が挙げられる。当該指示が入力されない場合（Ｓ３０７：ＮＯ）にはＳ３１７へ進み、入力された場合（Ｓ３０７：ＹＥＳ）にはＳ３０９へ進む。Ｓ３０９においてＣＰＵ１４は、異ならせた印刷設定をＮＶＲＡＭ４０に記憶させる。
【００４９】
Ｓ３１７においてＣＰＵ１４は、セキュア印刷ジョブリスト３００をタッチパネル５０に表示させる。セキュア印刷ジョブリスト３００は、Ｓ３０２で選択されたユーザに対応するセキュアページデータに関する情報が表示されるリストである。セキュア印刷ジョブリスト３００では、セキュアページデータに関する情報が、ジョブデータごとに表示される。図１０に、セキュア印刷ジョブリスト３００の表示例を示す。図１０の表示例は、図９のユーザ名２０１のうちからユーザＡが選択された場合に表示される画面の例である。セキュア印刷ジョブリスト３００には、ジョブ名３０１、セキュアページ数３０２、印刷パスワードの入力ボックス３０３、プリントリストの印刷有無を設定するためのチェックボックス３０４、Ｐｒｉｎｔボタン３０５、Ｃａｎｃｅｌボタン３０６、が表示されている。ジョブ名３０１は、ユーザＡによって生成された全てのジョブデータについての名称である。セキュアページ数３０２は、各ジョブデータに含まれているセキュアページデータのページ数である。入力ボックス３０３は、印刷パスワードの入力を受け付けるための入力ボックスである。チェックボックス３０４は、プリントリストを印刷するか否かの設定を受け付けるためのボックスである。プリントリストは、印刷したセキュアページデータのページ数や、印刷したセキュアページデータが含まれているジョブ名などが記載されているリストである。プリントリストは、セキュアページデータを印刷する印刷用紙とは別途の印刷用紙に印刷してもよい。プリントリストにより、印刷したセキュアページデータに関する情報を認識しやすくすることができる。
【００５０】
Ｓ３１８においてＣＰＵ１４は、ジョブ選択操作、印刷パスワードの入力、プリントリストの印刷有無の入力、を受け付ける。具体的には、セキュア印刷ジョブリスト３００（図１０）において、ジョブ名３０１に表示されている複数のジョブから少なくとも１つのジョブを選択する操作と、選択したジョブに関する印刷パスワードを入力ボックス３０３に入力する操作と、チェックボックス３０４にチェックを入れる操作と、を受け付ける。Ｓ３１９においてＣＰＵ１４は、印刷の実行指示の入力が受け付けられたか否かを判断する。具体的には、セキュア印刷ジョブリスト３００（図１０）において、Ｐｒｉｎｔボタン３０５がタッチされたか否かを判断する。タッチされていない場合（Ｓ３１９：ＮＯ）にはＳ３３０へ進み、Ｃａｎｃｅｌボタン３０６がタッチされたか否かを判断する。Ｃａｎｃｅｌボタン３０６がタッチされた場合（Ｓ３３０：ＹＥＳ）にはフローを終了し、タッチされない場合（Ｓ３３０：ＮＯ）にはＳ３１７へ戻る。
【００５１】
一方、Ｐｒｉｎｔボタン３０５がタッチされた場合（Ｓ３１９：ＹＥＳ）には、Ｓ３３２（図５）に進む。Ｓ３３２においてＣＰＵ１４は、セキュア印刷ジョブリスト３００（図１０）のジョブ名３０１の何れかが選択されたかを判断する。選択されていない場合（Ｓ３３２：ＮＯ）には、セキュア印刷ジョブリスト３００に表示されている全てのジョブが選択されたと判断され、Ｓ３３３へ進む。Ｓ３３３においてＣＰＵ１４は、入力ボックス３０３に入力された印刷パスワードに一致する認証パスワードが割り当てられているジョブデータが、存在するか否かを判断する。当該ジョブデータが存在しない場合（Ｓ３３３：ＮＯ）には、認証に失敗したと判断され、Ｓ３３８へ進み、「印刷パスワードエラー」の文字列をタッチパネル５０に表示し、図４のＳ３１７に戻る。一方、当該ジョブデータが存在する場合（Ｓ３３３：ＹＥＳ）には、認証に成功したと判断され、Ｓ３３４へ進む。
【００５２】
Ｓ３３４においてＣＰＵ１４は、プリントリストを印刷する設定とされているか否かを判断する。具体的には、Ｓ３１８において、セキュア印刷ジョブリスト３００（図１０）のチェックボックス３０４にチェックが入れられたか否かを判断する。プリントリストを印刷しない場合（Ｓ３３４：ＮＯ）にはＳ３３６へ進み、プリントリストを印刷する場合（Ｓ３３４：ＹＥＳ）にはＳ３３５へ進む。Ｓ３３５においてＣＰＵ１４は、プリントリストを印刷部５４に印刷させる。そしてＳ３３６へ進む。
【００５３】
Ｓ３３６においてＣＰＵ１４は、印刷パスワードと認証パスワードとが一致したセキュアページデータを、すべて印刷部５４に印刷させる。このとき、ジョブデータのジョブヘッダに含まれている各種の印刷設定（例：２ｉｎ１印刷、両面印刷など）に基づいて印刷を実行させる。そしてＳ３０１（図４）へ戻る。
【００５４】
本実施形態の説明例では、Ｓ３１８において印刷パスワード＝「ｘｘｘｘ」が入力された場合に、Ｓ３３２において何れのジョブ名３０１も選択されない場合には（Ｓ３３２：ＮＯ）、「セキュリティ印刷１．ｄｏｃ」のジョブデータに含まれた４ページ分のセキュアページデータと、「セキュリティ印刷２．ｄｏｃ」のジョブデータに含まれた１ページ分のセキュアページデータが印刷される（Ｓ３３６）。
【００５５】
一方、Ｓ３３２において、セキュア印刷ジョブリスト３００（図１０）のジョブ名３０１の何れかが選択された場合（Ｓ３３２：ＹＥＳ）には、Ｓ３３７へ進む。Ｓ３３７においてＣＰＵ１４は、選択されたジョブ名に関連するジョブデータに割り当てられている認証パスワードが、入力ボックス３０３に入力された印刷パスワードに一致するか否かを判断する。一致しない場合（Ｓ３３７：ＮＯ）には選択されたジョブデータの認証に失敗したと判断されてＳ３３８へ進み、その後、図４のＳ３１７に戻る。一方、一致する場合（Ｓ３３７：ＹＥＳ）には選択されたジョブデータの認証に成功したと判断されてＳ３３９へ進む。Ｓ３３９〜Ｓ３５１で実行される処理の内容は、前述したＳ３３４〜Ｓ３３６で実行される処理の内容と同様であるため、ここでは説明を省略する。
【００５６】
＜効果＞
本明細書に記載されているＭＦＰ１０では、セキュアページデータを含むジョブデータが複数入力された場合においても、複数のジョブデータの各々からセキュアページデータを抽出することができる（Ｓ２０７）。そして、印刷パスワードの入力を受け付けることで（Ｓ３１８）、入力された印刷パスワードによって認証が成功した全てのセキュアページデータを印刷することができる（Ｓ３３６）。これにより、複数のジョブデータに対して効率よく認証を行うことが可能となるため、印刷実行に必要な時間を短縮化することが可能となる。
【００５７】
本明細書に記載されているＭＦＰ１０では、セキュア印刷ジョブリスト３００（図１０）によってセキュアページに関する情報をジョブデータごとにタッチパネル５０に表示させ、セキュアページデータの選択を受け付けることができる（Ｓ３１７）。セキュアページデータを含むジョブデータが複数入力された場合においても、ユーザは、認証を行う対象のセキュアページデータを選択することができる。これにより、印刷実行を意図しているセキュアページデータのみを、確実に印刷することが可能となる。
【００５８】
本明細書に記載されているＭＦＰ１０では、ジョブデータを生成したユーザの選択を受け付け（Ｓ３０２）、選択されたユーザに対応するセキュア印刷ジョブリスト３００を表示させることができる（Ｓ３１７）。これにより、ユーザごとに認証を行うことが可能となるため、異なるユーザによって生成されたジョブデータの各々に含まれているセキュアページデータが、一緒に印刷されてしまう事態を防止することができる。また、ユーザは異なるが認証パスワードが同一である複数のジョブデータが存在する場合においても、ユーザ名によってこれらのジョブデータを区別することが可能となる。よって、異なるユーザによって生成されたジョブデータの各々に含まれているセキュアページデータが、一緒に印刷されてしまう事態を防止することができる。
【００５９】
本明細書に記載されているＭＦＰ１０では、通常ページデータとセキュアページデータとの間で、印刷設定の設定内容を異ならせることができる（Ｓ３０７）。これにより、通常ページデータの印刷結果とセキュアページデータの印刷結果とを区別し易くすることが可能となる。
【００６０】
本明細書に記載されているＭＦＰ１０では、プリントリストを印刷することができる（Ｓ３３５）。これにより、複数のジョブデータに含まれるセキュアページデータが互いに混在して印刷される場合においても、セキュアページデータの印刷結果が何れのジョブデータに含まれるデータであるかを、プリントリストに基づいて識別することが可能となる。
【００６１】
本明細書に記載されているＭＦＰ１０では、セキュアページデータと同一の印刷用紙に印刷される通常ページデータを、セキュアページデータとして抽出してセキュア印刷ページリスト４２に登録することができる（Ｓ２１２）。これにより、セキュアページデータの機密性を保持しながら、セキュアページデータと通常ページデータとを同一の印刷用紙に印刷することが可能となるため、印刷に必要な印刷用紙の枚数を削減することができる。
【００６２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００６３】
＜変形例＞
Ｓ３０１において表示されるセキュア印刷ユーザリスト２００には、セキュアページ数２０３が表示される。よって、セキュア印刷ユーザリスト２００が表示されてから、Ｓ３１９で印刷の実行指示の入力が受け付けられるまでの間に、印刷に用いる用紙を変更することが可能である。例えば、透かし入り用紙を印刷部５４に追加的にセットすることにより、セキュアページデータを透かし入り用紙に印刷し、通常ページデータを普通紙に印刷することが可能である。
【００６４】
印刷設定を行う処理（Ｓ１０２〜Ｓ１０６）を、ＭＦＰ１０で受け付ける形態としてもよい。この場合、図１１に示す印刷設定画面４００を、ＭＦＰ１０のタッチパネル５０に表示すればよい。また、認証パスワードや、ジョブデータに含まれるページのうちの何れのページをセキュア印刷するか等の指示を、キーパッド５２等によって受け付けてもよい（Ｓ１０３を参照）。また、受け付けた印刷設定を、ＮＶＲＡＭ４０に記憶させてもよい（Ｓ１０５を参照）。そして、ＰＣ７０ａ〜７０ｃの何れかからジョブデータを受信すると、受信したジョブデータにセキュアページデータを設定するか否か（Ｓ２０６を参照）、２ｉｎ１印刷または両面印刷を実行するか否か（Ｓ２１１を参照）、認証に成功したか否か（Ｓ３３３、Ｓ３３７を参照）、などの各処理を、ＮＶＲＡＭ４０に記憶されている印刷設定に基づいて行うとしてもよい。
【００６５】
ＰＣ７０ａで用いられるＯＳ（Operating System）は限定されず、各種のＯＳ（Windows（登録商標）、Macintosh（登録商標）、Linux（登録商標）)であってもよい。また、ＭＦＰ１０との通信に用いられる機器は、ＰＣに限られず、携帯端末や携帯電話であってもよい。
【００６６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００６７】
なお、ＰＣ７０ａは情報処理装置の一例である。ＭＦＰ１０は画像形成装置の一例である。Ｓ２０２を実行するＣＰＵは受付手段の一例である。Ｓ２０７を実行するＣＰＵは記憶制御手段の一例である。Ｓ３３７を実行するＣＰＵは認証手段の一例である。Ｓ３３６を実行するＣＰＵは印刷制御手段の一例である。通常ページデータは第１種ページデータの一例である。セキュアページデータは第２種ページデータの一例である。印刷パスワードは認証情報の一例である。Ｓ３１７、Ｓ３３２を実行するＣＰＵは第１表示制御手段の一例である。ユーザ名は属性情報の一例である。Ｓ３０１、Ｓ３０２を実行するＣＰＵは第２表示制御手段の一例である。認証パスワードは認証実行情報の一例である。
【符号の説明】
【００６８】
１０：ＭＦＰ、１４および７２：ＣＰＵ、４１：セキュア印刷ジョブリスト、４２：セキュア印刷ページリスト、２００：セキュア印刷ユーザリスト、３００：セキュア印刷ジョブリスト、４００：印刷設定画面、５０：タッチパネル、７０ａ〜７０ｃ：ＰＣ
【図１】
0005983048.tif 000002
【図２】
0005983048.tif 000003
【図３】
0005983048.tif 000004
【図４】
0005983048.tif 000005
【図５】
0005983048.tif 000006
【図６】
0005983048.tif 000007
【図７】
0005983048.tif 000008
【図８】
0005983048.tif 000009
【図９】
0005983048.tif 000010
【図１０】
0005983048.tif 000011
【図１１】
0005983048.tif 000012